(57)【特許請求の範囲】
【請求項１】
壁面に固着される支持部材と；使用時に壁面から起立し、不使用時に壁面側へ倒伏して前記支持部材に収納されるように、基端側において支持部材に枢支されるフック体とを具備し、
前記支持部材は、ベース金具と；このベース金具に嵌合固定されるカバー部材とを具備し、
前記ベース金具は、金属板材で一体に構成され、設置時に壁面に密着する底板と；底板の左右両端縁から直角に起立する平行一対の支持板と；前記フック体を起立位置に保持するストッパ片とを具備し、
前記フック体は、前記ベース金具の一対の支持板間に架設される枢ピンによって枢支され、倒伏時に一対の支持板間に大部分が収まる形状に構成され、
前記カバー部材は、弾性体で一体成形され；前記ベース金具の支持板の内側面に沿う一対の側板部と；この側板部間を接続するベース部と；倒伏状態の前記フック体を受け入れるように、側板部間に形成される受け入れ凹部と；ベース金具の支持板の周縁面を被覆するように、側板部の周縁に沿って延在する被覆縁部とを具備することを特徴とするハンガーフック。
【請求項２】
前記ベース金具のストッパ片は、前記底板から起立し、前記フック体の前記枢ピンによる枢支位置より基端側の上面に当接することにより、フック体を起立位置に保持するように設けられることを特徴とする請求項１に記載のハンガーフック。
【請求項３】
前記フック体は、金属製丸棒材をほぼL字状に屈折させてなり、起立位置において前方へ真っ直ぐに延出する主体部と、この主体部の先端側に屈曲部を介して連続し、起立位置において斜め上向きに延出するフック部とを具備し、
前記ベース金具の支持板は、下部から上部に向かうにしたがって底板からの高さが徐々に低くなる形状に構成され、倒伏位置にある前記フック体の屈曲部が支持板間から露出し、当該屈曲部を掴んでフック体の起立操作が可能とされることを特徴とする請求項１又は２に記載のハンガーフック。
【請求項４】
前記ベース金具の支持板には、係合孔が形成され、
前記カバー部材における側板部の外側面には、前記支持板の係合孔にスナップ係合する係合突起が形成されることを特徴とする請求項１ないし３のいずれかに記載のハンガーフック。
【請求項５】
前記カバー部材における側板部の内側対向部には、前記フック体の起立方向回転進路途上に位置して、当該進路途上を狭める倒伏保持突部が形成され、それによってフック体を倒伏位置に保持することを特徴とする請求項１ないし４のいずれかに記載のハンガーフック。
【請求項６】
前記フック体は、常時倒伏位置に復帰するように、ばねにより回転付勢されることを特徴とする請求項１ないし４のいずれかに記載のハンガーフック。
【請求項７】
前記カバー部材における側板部の内側対向部には、前記フック体の倒伏方向回転進路途上に位置して、当該進路途上を狭める起立保持突部が形成され、それによって前記ばねの付勢力に抗してフック体を起立位置に保持することを特徴とする請求項６に記載のハンガーフック。
【発明の詳細な説明】
【技術分野】
【０００１】
この発明は、建造物等の壁面に面付けされ、不使用時にはフック体が壁面側へ倒伏し、使用時にはフック体が壁面から突出するハンガーフックに関する。
【背景技術】
【０００２】
従来、ハンガーフックとして、例えば特開２００５−２４５５５４号公報（特許文献１）に記載されたものが知られている。このハンガーフックは、フックとフックを収納するケーシングとを備え、フックがケーシングに対して回転して起立することによって、フックに衣服等をかけることができる。フックは、付設ばねにより、ケーシングへの戻り方向、すなわちケーシングに収納される方向に回転付勢される。フックの回転軸には、歯車が形成され、ケーシングにはこれにかみ合う制動歯車が取り付けられる。制動歯車により、ケーシングに戻ろうとするフックを緩動作させることによって、フックに衣服をかける時間に余裕を持たせるものである。
【先行技術文献】
【特許文献】
【０００３】
【特許文献１】特開２００５−２４５５５４号公報
【発明の概要】
【発明が解決しようとする課題】
【０００４】
上記従来のハンガーフックは、用途によっては過剰機能で、そのために、構造が複雑で、高価となる難点がある。
したがって、この出願に係る発明は、より構造が簡素で、製造コストを抑えることができるハンガーフックを提供することを目的としている。
【課題を解決するための手段】
【０００５】
以下、添付図面の符号を参照して説明するが、本発明はこれに限定されるものではない。
上記課題を解決するための、この出願に係る発明のハンガーフック１は、壁面に固着される支持部材２と、使用時に壁面から起立し、不使用時に壁面側へ倒伏して支持部材２に収納されるように、基端側において支持部材２に枢支されるフック体３とを具備する。支持部材２は、ベース金具４と、このベース金具４に嵌合固定されるカバー部材５とを具備する。ベース金具４は、金属板材で一体に構成され、設置時に壁面に密着する底板６と、底板６の左右両端縁から直角に起立する平行一対の支持板７と、フック体３を起立位置に保持するストッパ片８とを具備する。フック体３は、ベース金具４の一対の支持板７間に架設される枢ピン１０によって枢支され、倒伏時に一対の支持板７間に大部分が収まる形状に構成される。カバー部材５は、弾性体で一体成形され、ベース金具４の支持板７の内側面に沿う一対の側板部１４と、この側板部１４間を接続するベース部１５と、倒伏状態のフック体３を受け入れるように、側板部１４間に形成される受け入れ凹部１６と、ベース金具４の支持板７の周縁面を被覆するように側板部１４の周縁に沿って延在する被覆縁部１７とを具備する。
上記ベース金具のストッパ片８は、底板６から起立し、フック体３の枢ピン１０による枢支位置より基端側の上面に当接することにより、フック体３を起立位置に保持するように構成することができる。
上記フック体３は、金属製丸棒材をほぼL字状に屈折させてなり、起立位置において前方へ真っ直ぐに延出する主体部１１と、この主体部１１の先端側に屈曲部１３を介して連続し、起立位置において上向きに延出するフック部１２とを具備するものとし、ベース金具４の支持板７は、下部から上部に向かうにしたがって底板からの高さが徐々に低くなる形状に構成し、倒伏位置にあるフック体３の屈曲部１３が支持板７間から露出した状態となり、この屈曲部１３を掴んでフック体３の起立操作が可能となるように構成することができる。
上記カバー部材５における側板部１４の内側対向部に倒伏保持突部１９が形成され、この突部１９が、側板部１４間に形成されるフック体３の起立方向回転進路途上を狭め、それによってフック体３を倒伏位置に保持するように構成することができる。
上記フック体３は、常時倒伏位置に復帰するように、ばね２０により回転付勢されるように構成することができる。
上記フック体３がばね２０により倒伏位置に回転付勢される場合、カバー部材５における側板部１４の内側対向部に起立保持突部２１が形成され、この突部２１が、側板部１４間に形成されるフック体３の倒伏方向回転進路途上を狭め、それによってフック体３をばね力に抗して起立位置に保持するように構成することができる。
【発明の効果】
【０００６】
この出願に係る発明のハンガーフックによれば、金属板材のベース金具４と、それに枢支されるフック体３と、ベース金具４に嵌合固定されるカバー部材５とからなる簡素な構造で、安価に提供することができる。カバー部材５の側板部１４の周縁に沿って延在する被覆縁部１７が、ベース金具４の支持板７の周縁面を被覆するので、フックに掛ける物品が、金属エッジで傷つくことがない。
上記カバー部材５における側板部１４の内側対向部に倒伏保持突部１９を形成する場合には、フック体３を倒伏位置に保持するための極めて簡易な構成を提供できる。
【図面の簡単な説明】
【０００７】
【図１】本発明に係るハンガーフックの分解斜視図である。
【図２】図１のハンガーフックの正面図である。
【図３】図１のハンガーフックの側面図である。
【図４】図１のハンガーフックの背面図である。
【図５】図３におけるＶ−Ｖ断面図である。
【図６】図２におけるＶＩ−ＶＩ断面図である。
【図７】図１のハンガーフックにおけるベース金具の正面図である。
【図８】図７のベース金具の平面図である。
【図９】図７のＩＸ−ＩＸ断面図である。
【図１０】図１のハンガーフックにおけるカバー部材の正面図である。
【図１１】図１０のカバー部材の側面図である。
【図１２】図１０におけるＸＩＩ−ＸＩＩ断面図である。
【図１３】図１２におけるＸＩＩＩ−ＸＩＩＩ断面図である。
【図１４】本発明に係る他の実施形態のハンガーフックの断面図である。
【図１５】本発明に係るさらに他の実施形態のハンガーフックの断面図である。
【発明を実施するための形態】
【０００８】
図面を参照してこの発明の実施の形態を説明する。図１ないし図６において、ハンガーフック１は、壁面Wにビスで固着される支持部材２と、支持部材２に枢支されるフック体３とを具備する。フック体３は、使用時に壁面から前方へ起立し、不使用時には壁面W側へ倒伏して支持部材２に収納される。支持部材２は、ベース金具４と、このベース金具４に嵌合固定されるカバー部材５とを具備する。
【０００９】
ベース金具４は、金属板材で一体に構成され、設置時に壁面Wに密着する底板６と、底板６の左右両端縁から直角に前方へ起立する平行一対の支持板７，７と、フック体３を起立位置に保持するストッパ片８とを具備する。
支持板７は、下部から上部に向かうにしたがって底板６からの高さが徐々に低くなる形状である。支持板７は、その基部に、縦方向に相互間隔を置いて並んだ複数の係合孔９を有する。ストッパ片８は、底板６から直角に起立し、前方へ水平に延出する。底板６には、壁面Wへ取り付けるためのビスを挿入する取り付け孔６aが形成される。
【００１０】
フック体３は、ベース金具４の一対の支持板７，７間に水平に架設される枢ピン１０によって枢支され、倒伏時に一対の支持板７，７間に大部分が収まる形状に構成される。すなわち、フック体３は、金属製丸棒材をほぼL字状に屈折させてなり、主体部１１と、屈曲部１３と、フック部１２とを具備する。主体部１１は、起立位置において前方へ真っ直ぐに延出する。この主体部１１の先端側に屈曲部１３を介してフック部１２が連続する。フック部１２は、起立位置において斜め上向きに延出する。フック体３が倒伏位置にあるとき、フック部１２の先端が支持部材2に当接し、主体部１１が上前方へ傾いた状態となることと、支持板７が上方に低くなる形状であることとが相まって、屈曲部１３が支持板７間から露出する状態となる。したがって、屈曲部１３を掴んで、倒伏位置にあるフック体３を起立方向へ回転させる操作が可能である。図６に示すように、フック体３が起立位置にあるとき、基端側の上面にベース金具４のストッパ片８が当接し、フック体３を起立位置に保持する。
【００１１】
カバー部材５は、ゴムのような弾性体で一体成形され、ベース金具４に嵌合固定される。カバー部材５は、ベース金具４の支持板７の内側面に沿う平行一対の側板部１４と、この側板部１４間を接続するベース部１５と、倒伏状態のフック体３を受け入れるように、側板部１４間に形成される受け入れ凹部１６とを具備する。側板部１４の周縁には、外側へ張り出す被覆縁部１７が形成される。被覆縁部１７は、支持板１４の周縁面が外部に露出しないように、これを被覆する。側板１４部の外側面には、支持板の係合孔９にスナップ係合する係合突起１８が形成される。側板部１４の内側対向部には、フック体３の起立方向回転進路の途上に位置して倒伏保持突部１９が形成される。この保持突部１９は、フック体３が倒伏位置から起立方向へ回転する進路の途上を狭め、それによってフック体３を倒伏位置に保持する。側板部１４は、ベース金具４へカバー部材５を嵌合するときに枢ピン１０を通すための切欠溝１４aを有する。切欠溝１４aは、側板部１４の、底板６に当接する後方端縁に開放し、前方へ延びている。
【００１２】
この実施形態のハンガーフック１は、フック体３を組み付けたベース金具４を、カバー部材５を装着しない状態で壁面Wに固定する。図５に示すように、ベース金具４の底板６に形成された取り付け孔６aにビス２２を挿入し、壁面Wにねじ止めするだけで、取り付けは容易である。ベース金具４を固定した後、前面側からカバー部材５を押し込んで、ベース金具４に嵌合させる。カバー部材５は弾性的に撓むので、その装着は容易である。フック体３は、図３，６に仮想線で示すように、不使用時には壁面W側へ倒伏して、支持部材２の受け入れ凹部１６に収納される。この状態で、フック体３は、倒伏保持突部１９に当接して、保持される。使用時には、フック体３を前方へ回転起立させる。その際、支持板７間から露出した屈曲部１３を掴んで、引き出すと、倒伏保持突部１９がフック体３に押されて弾性的に撓み、あるいは同時に支持板７間が弾性的に押し開かれて、倒伏保持突部１９間をフック体３が通過する。
【００１３】
例えば、電気自動車のバッテリ充電装置付近の壁面に、このハンガーフックを設置し、充電用ケーブルの保管の用に供することができる。この場合、不使用時に輪に巻いたケーブルをこのハンガーフックに掛けて保管することができる。このハンガーフック１は、支持板７の上方が低くなっているので、ケーブルを掛ける際に、支持板７にケーブルの輪が引っかかることがなく、これを円滑にフック体３に掛けることができる。また、その際に、支持板７の周縁がカバー部材５の被覆縁部１７で覆われているので、ケーブルが直接金属に触れることがなく、したがって、絶縁被覆が損傷を受けることもない。
【００１４】
図１４に示す他の実施形態においては、フック体３が、常時倒伏位置に復帰するように、ばね２０により回転付勢される。すなわち、枢ピン１０を支持軸としたねじりばね２０の一端がフック体３に係止され、他端がベース金具の底板６に係止される。この場合、使用時には、一方の手でフック体３を起立保持した状態で、物品をフック体３に掛ける。物品をフック体３から外すと、フック体３は、バネ力で自動的に倒伏位置へ復帰して保持される。したがって、先の実施形態における倒伏保持突部１９は設けられない。この点と、ばね２０が付加される点を除き、他の構成は先の実施形態と同等であるから、同一の符号を付して説明を省略する。
【００１５】
図１５に示すさらに他の実施形態は、図１４の実施形態におけるカバー部材５の側板部１４に、フック体３を起立状態に保持する起立保持突部２１の構成を付加したものである。すなわち、カバー部材５における側板部１４の内側対向部に形成される起立保持突部２１は、起立位置にあるフック体３が倒伏方向へ回転する進路の途上を狭め、それによってばね２０の付勢力に抗してフック体３を起立位置に保持する。この場合、使用時にフック体３をいったん起立位置に持ち来すと、その状態で保持されるので、フック体３から手を離して作業を行うことができる。フック体３を収納するときには、これをわずかに押し上げると、起立保持突部２１間が弾性的に広がって通過が許容され、後は自動的に倒伏位置へ復帰する。
【符号の説明】
【００１６】
１    ハンガーフック
２    支持部材
３    フック体
４    ベース金具
５    カバー部材
６    底板
６a  取り付け孔
７    支持板
８    ストッパ片
９    係合孔
１０  枢ピン
１１  主体部
１２  フック部
１３  屈曲部
１４  側板部
１４a  切欠溝
１５  ベース部
１６  受け入れ凹部
１７  被覆縁部
１８  係合突部
１９  倒伏保持突部
２０  ばね
２１  起立保持突部
２２  ビス
W    壁面
【図１】
0005190101.tif 000002
【図２】
0005190101.tif 000003
【図３】
0005190101.tif 000004
【図４】
0005190101.tif 000005
【図５】
0005190101.tif 000006
【図６】
0005190101.tif 000007
【図７】
0005190101.tif 000008
【図８】
0005190101.tif 000009
【図９】
0005190101.tif 000010
【図１０】
0005190101.tif 000011
【図１１】
0005190101.tif 000012
【図１２】
0005190101.tif 000013
【図１３】
0005190101.tif 000014
【図１４】
0005190101.tif 000015
【図１５】
0005190101.tif 000016